(57)【要約】【課題】  可動部の重心調節ができる光ピックアップ装置において、部材点数を減らす。【解決手段】  対物レンズ１と記情報記録媒体との接触を防ぐ機能を有するレンズプロテクタ２７を挿入できる複数の孔部７を、対物レンズ１を有するレンズホルダ２にを設けて、レンズプロテクタの取り付け位置を選択できるようにし、さらに、レンズプロテクタの重量を調整できるようにする。これにより、レンズプロテクタ２７が、対物レンズのプロテクタとしての機能と、対物レンズ可動部の重心を調節するバランサとしての機能を兼ね備え、部材点数を減らすことができる。【選択図】  図１
2006024339.tif 000002
【特許請求の範囲】
【請求項１】
レーザー光を用いて、情報記録媒体に対して、情報の記録、消去及び再生のうちのいずれかを行う光ピックアップ装置において、
対物レンズと、
対物レンズを保持し、フォーカス方向またはトラッキング方向に移動する可動部と、
上記可動部に設置され、対物レンズと上記情報記録媒体との接触を防ぐとともに、可動部の重心を調整するレンズプロテクタと、を備えることを特徴とする光ピックアップ装置。
【請求項２】
上記レンズプロテクタの重量を調整することで、上記可動部の重心を調整するものであることを特徴とする請求項１に記載の光ピックアップ装置。
【請求項３】
上記レンズプロテクタが、その内部に空洞部を有しており、
上記空洞部に可動部の重心に応じた重量の重量調整材を入れることにより、レンズプロテクタの重量を調整するものであることを特徴とする請求項２に記載の光ピックアップ装置。
【請求項４】
上記レンズプロテクタの空洞部が、円柱あるいは直方体の、可動部からの突出部分に形成されていることを特徴とする請求項３に記載の光ピックアップ装置。
【請求項５】
上記重量調整材が接着剤であることを特徴とする請求項３に記載の光ピックアップ装置。
【請求項６】
上記重量調整材が１液性ゴム材であることを特徴とする請求項３に記載の光ピックアップ装置。
【請求項７】
上記重量調整材が固体部材であることを特徴とする請求項３に記載の光ピックアップ装置。
【請求項８】
上記空洞部が外部に開放されていることを特徴とする請求項３に記載の光ピックアップ装置。
【請求項９】
上記レンズプロテクタが、外部から上記空洞部に貫通する孔を有していることを特徴とする請求項３に記載の光ピックアップ装置。
【請求項１０】
可動部の重心に応じた重量の、孔を有する重量調整材を用い、
上記レンズプロテクタに上記孔をはめ込むことで、レンズプロテクタの重量を調整するものであることを特徴とする請求項２に記載の光ピックアップ装置。
【請求項１１】
上記レンズプロテクタと重量調整材とが、ねじにより結合していることを特徴とする請求項１０に記載の光ピックアップ装置。
【請求項１２】
上記レンズプロテクタの可動部における設置位置を変更することで、上記可動部の重心を調整することを特徴とする請求項１に記載の光ピックアップ装置。
【請求項１３】
上記可動部が複数の孔部を有しており、
上記レンズプロテクタが、可動部の重心に応じて上記複数の孔部から選ばれる孔部に挿し込まれることで、設置位置を変更されることを特徴とする請求項１２に記載の光ピックアップ装置。
【請求項１４】
上記複数の孔部が、上記可動部の中心線に対して線対称となるように設けられていることを特徴とする請求項１３に記載の光ピックアップ装置。
【発明の詳細な説明】
【技術分野】
【０００１】
本発明は、光ディスク等の情報記録媒体に対して情報の記録、消去、あるいは再生のいずれかが出来る光ピックアップ装置に関するものであり、詳しくは、光ディスクに照射する光の焦点を合わせる対物レンズを、バランスを保ちながら駆動できる光ピックアップ装置に関するものである。
【背景技術】
【０００２】
記録媒体として、光ディスクに情報の記録、再生をおこなう一般的な光ピックアップ装置には、ビーム光を光ディスクに焦点をあわせて照射する対物レンズが備えられている。対物レンズは、光ディスクに追従して記録面のうちの任意の個所に光ビームの焦点を合わせられるように、対物レンズ駆動装置により駆動できる構成となっている。対物レンズ駆動装置を図４に示す。
【０００３】
対物レンズ駆動装置２０は、対物レンズ１１、レンズホルダ１２、トラッキングコイル１３、フォーカシングコイル１４、ワイヤ１５、ベース１８からなる。光ピックアップ装置は、図５に示すように、対物レンズ１１の焦点位置に光ディスクＤが搭載できる構成になっており、光ディスクＤに情報を読み取る及び書き込む為に、常に対物レンズ１１の焦点が最適な位置を保つように上下運動している。なお、対物レンズ１１はレンズホルダ１２上に配置されており、レンズホルダ１２は、トラッキングコイル１３およびフォーカシングコイル１４の作用により適正な位置に移動できる。レンズホルダ１２は、ベース１８上にワイヤ１５により駆動可能に固定されている。
【０００４】
このような対物レンズ駆動装置２０において、読み込みエラーが生じた場合や外部からの急激な衝撃が生じた場合、対物レンズ１１がディスクＤに衝突して、対物レンズ１及びディスクＤが傷つくことがある。この衝突を防止する目的で、従来から、レンズホルダ２上に、図６に示すような、先端が柔らかく、対物レンズ１１より光ディスクＤのほうに突出したレンズプロテクタ１７が設けられていた。図６のレンズプロテクタ１７は、下側の細い円筒部７１をレンズホルダに挿して、上側の太い円筒部７２をレンズホルダ１２に引っ掛けて、レンズプロテクタ１７がレンズホルダ１２を通り抜けないようにしている。
【０００５】
また、対物レンズ駆動装置２０は、上記したように、要求に合わせて対物レンズ１１を動かせるように、レンズホルダ１２がベース１８から離れて移動できるようになっている。レンズホルダ１２は、ベース１８に設置された磁石と、レンズホルダ１２に搭載されたトラッキングコイル１４またはフォーカシングコイル１３を作用させることで、駆動される。このとき、レンズホルダ１２の重心を精密にレンズホルダ１２を動かす起点となる駆動点に合わせて設定しないと、レンズホルダ１２が所望の動作をしなくなる。例えばレンズホルダ１２の端が重い場合、レンズホルダ１２における駆動点の移動に、重い部分が追従できずに遅れ、このときに回転モーメントが発生する。この回転モーメントが不要振動を起こす原因にもなる。
【０００６】
近年、ノートパソコンの薄型化に伴い、それに搭載される光ピックアップも薄くなっている。例えば、ハーフハイトタイプでは厚さ２０ｍｍ程度、スリムタイプでは厚さ７．３ｍｍ程度、ウルトラスリムタイプでは厚さ５．３ｍｍ程度である。このような薄い光ピックアップ装置では、レンズホルダ１２も薄くすることが必要となり、所望の剛性が得られないことが多い。このことが、さらに、高次の振動に対するレンズホルダ１２の追従を難しくしている。
【０００７】
駆動点とレンズホルダ１２との重心のずれを押さえるには、予めシミュレーションなどにより重心を目標点に合わせこむことが必要となる。しかしながら、部材の形状によっては重心が目標点に来るように、設計することが非常に難しい。
【０００８】
そこで、従来から、対物レンズ駆動装置２０が完成した後に、図７に示されるバランサ１６のような別の部品を接着剤にてレンズホルダ１２の上面や側面の任意の位置に、設置することで、レンズホルダ１２の重心を調整し、不要振動を抑えていた。
【０００９】
特許文献１や２には、駆動点とレンズホルダ１２との重心のずれを押さえるためにバランサを取り付ける構成が開示されている。
【発明の開示】
【発明が解決しようとする課題】
【００１０】
しかしながら、レンズホルダ１２にバランサを取り付ける方法では、バランスをとるためだけに新たな部材が必要であり、コスト低減や軽量化を行う際の障害となっていた。また、光ピックアップを設計する上での制約となっていた。
【００１１】
本発明は、上記の問題点に鑑みてなされたものであり、その目的は、部材点数を増やすことなく、可動部の重心を調節できる光ピックアップ装置を提供することにある。
【課題を解決するための手段】
【００１２】
本発明に係る光ピックアップ装置は、上記課題を解決するために、レーザー光を用いて、情報記録媒体に対して、情報の記録、消去及び再生のうちのいずれかを行う光ピックアップ装置において、対物レンズと、対物レンズを保持し、フォーカス方向またはトラッキング方向に移動する可動部と、上記可動部に設置され、対物レンズと上記情報記録媒体との接触を防ぐとともに、可動部の重心を調整するレンズプロテクタと、を備えることを特徴としている。
【００１３】
これによれば、レンズプロテクタが、読み込みエラーが生じた場合や外部からの急激な衝撃が生じた場合に、対物レンズが光ディスクに衝突することを防ぐという機能と、可動部の重心を調整する機能とを兼ね備えている。よって、従来のレンズ保護用の部材と、バランサとしての部材とを有する光ピックアップ装置に比べ、部品点数を減らすことができ、コスト低減や軽量化が達成でき、さらに、従来は不可能であったような形状の光ピックアップ装置にできる。
【００１４】
また、本発明に係る光ピックアップ装置は、上記レンズプロテクタの重量を調整することで、上記可動部の重心を調整するものであることを特徴としている。
【００１５】
レンズプロテクタの重量が可変で調整可能であれば、可動部におけるレンズプロテクタ設置位置にかかる重量を微調整でき、可動部の重心を精密に調節できる高性能なバランサとなる。
【００１６】
また、本発明に係る光ピックアップ装置は、上記レンズプロテクタが、その内部に空洞部を有しており、上記空洞部に可動部の重心に応じた重量の重量調整材を入れることにより、レンズプロテクタの重量を調整するものであることを特徴としている。
【００１７】
これによれば、レンズプロテクタの外形を変えることなく、簡単にレンズプロテクタの重量を調整できる。また、レンズプロテクタに搭載し得る重量調整材の量を大きく変化させることができ、大きな重量変化をもたらすことができる。
【００１８】
また、本発明に係る光ピックアップ装置は、上記レンズプロテクタの空洞部が、円柱あるいは直方体の、可動部からの突出部分に形成されていることが好ましい。
【００１９】
これによれば、レンズプロテクタの製造がしやすく、空洞も形成し易い。さらに、重量調整材を空洞に入れやすくなる。
【００２０】
また、上記重量調整材は接着剤であることが好ましい。
【００２１】
これによれば、接着剤が添加時には流動性で、添加後に固化する性質であることから、どのような形状の空洞であっても、接着剤を空洞に沿った形状にて、レンズプロテクタに接着した状態で形成できる。よって、レンズプロテクタを駆動しても内部で重量調整材が動かない。また、要求に従って微量の重量調整が可能となる。
【００２２】
また、上記重量調整材は１液性ゴム材であることが好ましい。
【００２３】
これによれば、１液性ゴム材が添加時には流動性で、添加後に固化する性質であることから、どのような形状の空洞であっても、ゴム材を空洞に沿った形状にて、レンズプロテクタに接着した状態で形成できる。よって、レンズプロテクタを駆動しても内部で重量調整材が動かない。また、要求に従って微量の重量調整が可能となる。
【００２４】
また、上記重量調整材は固体部材であることを特徴としている。
【００２５】
これによれば、重量調整をする際に、任意の量の固体部材を空洞に入れるだけで、簡単に重量調整できる。また、固体部材を一度取り付けた後、取り外すこともできる。
【００２６】
また、本発明の光ピックアップ装置は、上記空洞部が外部に開放されていることを特徴としている。
【００２７】
これによれば、空洞が外部に開放されているので、開放されている部分から重量調整材を入れやすい。さらに、上記構成によれば、重量調整材として、紫外線硬化型接着剤等の硬化のための後処理が必要なものを用いた場合においても、開放部分からＵＶ照射等の後処理が可能である。
【００２８】
また、本発明の光ピックアップ装置は、上記レンズプロテクタが、外部から上記空洞部に貫通する孔を有していることを特徴としている。
【００２９】
これによれば、空洞部への貫通孔に接着剤が入った注射器等を差し込むことができるので、外部から簡単に重量調整材を注入できる。また、貫通孔は比較的小さなものでも良いので、空洞部の密閉率を上げられる。よって、重量調整材が流動性のものであっても漏れが防がれる。
【００３０】
また、本発明の光ピックアップ装置は、可動部の重心に応じた重量の、孔を有する重量調整材を用い、上記レンズプロテクタに上記孔をはめ込むことで、レンズプロテクタの重量を調整するものであることを特徴としている。
【００３１】
これによれば、レンズプロテクタに対して簡単に重量調整材の取り付け、取り外しができる。また、レンズプロテクタに搭載し得る重量調整材の量を大きく変化でき、大きな重量変化をもたらすことができる。
【００３２】
また、上記レンズプロテクタと重量調整材とは、ねじにより結合していることが好ましい。
【００３３】
これによれば、レンズプロテクタに対して簡単に重量調整材と固定でき、簡単に取り外すこともできる。
【００３４】
また、本発明の光ピックアップ装置は、上記レンズプロテクタの可動部における設置位置を変更することで、上記可動部の重心を調整することを特徴としている。
【００３５】
レンズプロテクタの設置位置が変更できる構成であれば、可動部におけるレンズプロテクタの重みがかかる位置を調整でき、可動部を調節できるバランサ機能を発揮できる。
【００３６】
また、本発明の光ピックアップ装置は、上記可動部が複数の孔部を有しており、上記レンズプロテクタが、可動部の重心に応じて上記複数の孔部から選ばれる孔部に差し込まれることで、設置位置を変更されることを特徴としている。
【００３７】
これによれば、レンズプロテクタの設置位置に選択性を持たせられるので、可動部の重心に応じた位置の孔にレンズプロテクタを挿入することで、簡単に可動部の重心の調整ができる。また、レンズプロテクタの設置可能箇所が定まっていることから、レンズプロテクタの位置精度が増し、重量調整がしやすくなる。
【００３８】
また、本発明の光ピックアップ装置は、上記複数の孔部が、上記可動部の中心線に対して線対称となるように設けられていることを特徴としている。
【００３９】
上記構成によれば、互いに線対称となる２つの孔部にレンズプロテクタを配置することで、中心線と垂直な方向には重心を移動させずに、中心線に沿った方向にのみ重心を移動させることができる。このように、まず１つの方向への重心調整を行って、その後に重心の微調整をすることで、重量調整のシミュレーションがしやすくなる。したがって、可動部の重心調節がしやすく、また調節精度を高めることができる。
【００４０】
なお、上記中心線は、可動部の幅の真ん中を通る線である。ここで、中心線は、レンズプロテクタは対物レンズの保護をすることを目的とするため、対物レンズの周縁に設置されることが好ましい。この場合、中心線を対物レンズの中心近傍を通る中心線とすると、線対称となるレンズプロテクタの両者を対物レンズ付近に設置できるようになる。
さらに、中心線が対物レンズの中心となるように対物レンズを設置することで、線対称となる１組のレンズプロテクタの対物レンズからの距離が等しくなる。
【発明の効果】
【００４１】
以上のように本発明の光ピックアップ装置は、対物レンズと、対物レンズを保持し、フォーカス方向またはトラッキング方向に移動する可動部と、上記可動部に設置され、対物レンズと上記情報記録媒体との接触を防ぐとともに、可動部の重心を調整するレンズプロテクタと、を備えている。
【００４２】
それゆえ、レンズプロテクタが、対物レンズと光ディスクとの衝突を防ぐという機能と、可動部の重心を調整する機能とを兼ね備えているので、従来のようにバランサとして別部品を用いることなく、対物レンズ可動部の重心を簡単に調節でき、部品数を減らすことができる。よって、コスト低減や軽量化が達成できるという効果を奏する。
【発明を実施するための最良の形態】
【００４３】
以下、発明の実施形態を、図面を用いて説明する。
【００４４】
図１は、本実施の形態の光ピックアップ装置の可動部を示す図面である。
【００４５】
光ピックアップ装置は、可動部１０、光源（図示せず）、ベース（図示せず）からなり、搭載された光ディスク（光情報媒体、図示せず）に光源からの光を焦点を合わせて照射する。なお、光ディスクは、レーザー光を利用して情報を記録再生できる媒体であれば限定されるものではなく、光磁気ディスク等も含まれる。
【００４６】
可動部１０は、対物レンズ１、レンズホルダ２、レンズプロテクタ２７、トラッキングコイル３、フォーカスコイル４からなる。
【００４７】
対物レンズ１は、光源からの光を光ディスクに焦点を合わせて照射させるものである。レンズホルダ２は、対物レンズ１を保持するものである。レンズプロテクタ２７は、レンズホルダ２から光ディスクが搭載される方向へ、少なくとも対物レンズの高さよりも高く突出するように設置され、対物レンズ１と光ディスクとの接触を防ぐものである。トラッキングコイル３は、レンズホルダ２をトラッキング方向（ｘ方向）に移動させるものである。フォーカスコイル４は、レンズホルダ２をフォーカス方向（紙面と垂直な方向）に移動させるものである。ベースは、レンズホルダ２を駆動可能に保持する部材である。
【００４８】
光ピックアップ装置は、この可動部１０を、背景技術で説明したのと同様に、ベースに設置された磁石を、レンズホルダ２に搭載されたトラッキングコイル３およびフォーカスコイル４と作用させて、レンズホルダ２を所望の方向に駆動して位置調節する。これにより、対物レンズ１を通る光源からの光が、光ディスクの所定の位置に焦点が合うように照射できる。照射されたレーザー光は、光ディスクへの情報の記録、消去、あるいは光ディスクに記録された情報の再生に利用される。例えば、光ディスクに記録された情報を再生する場合には、光ディスクにて反射されたレーザー光の反射光を受光素子にて受け取り、再生信号に変換して出力する。
【００４９】
次に、レンズプロテクタ２７について説明する。
【００５０】
レンズプロテクタ２７は、図２（ａ）に示すように、太さの違う円筒を縦につなげた形状をしており、孔部７より細い円筒の部分（挿通部２４）をレンズホルダ２に設けられた円形の孔部７に挿入し、孔部７より太い円筒部分（係止部２３）がレンズホルダ２に引っかかることで、レンズホルダ２に設置される。
【００５１】
レンズプロテクタ２７は、光ディスクと対物レンズ１との衝突を和らげるために設けられるものであるため、比較的柔らかい素材により形成されている。レンズプロテクタ２７の上端部（係止部２３側の先端部）の硬度は、Ａ４０以上Ａ６０以下であることが好ましい。具体的な材料としては、シリコンや、ポリプロピレン（ＰＰ）、ゴム系材料が挙げられる。
【００５２】
なお、孔部７やレンズプロテクタ２７の形状は円や円筒に限られるものではなく、レンズプロテクタ２７が孔部７に取り外し可能に挿入され、係止される形状であれば、多角形等であっても良い。しかし、孔部７と挿通部２４とは同一形状として、動かないように嵌め込めるように形成することが望ましい。
【００５３】
また、レンズプロテクタ２７は、レンズホルダ２の重心を目標点に合わせるためのバランサとしての役目をも担っている。
【００５４】
レンズホルダ２の重心が、レンズホルダ２を動かすための起点となる駆動点に一致していなかった場合、レンズホルダ２の可動時に回転モーメントが発生し、レンズホルダ２の均一な可動ができず、不要振動が発生する。例えばレンズホルダ２の端が重い場合、レンズホルダ２の移動に、重い部分が追従できずに遅れ、このときに回転モーメントが発生する。この回転モーメントが不要振動を起こす原因にもなる。一方、レンズホルダ２の重心が駆動点にあっていれば、このような回転モーメントが生じず、振動を起こすことなくレンズホルダ２全体が同時に動く。
【００５５】
そこで、レンズホルダ２の重心を駆動点に合わせるために、レンズプロテクタ２７は、レンズホルダ２における任意の位置に設置できる構成とし、レンズホルダ２の重心を変更できるようにしている。具体的には、重心を変更するために、図１のように対物レンズ１周辺に、複数の孔部７を設け、レンズプロテクタ２７を任意の孔部７に挿すことにより重心を調節できるようにしている。
【００５６】
ここで、駆動点は、レンズホルダ１２をフォーカス方向に移動させる場合とトラッキング方向に移動させる場合とで異なるため、その中間点を重心の目標点とする。また、レンズホルダ２の重心と駆動点とのずれを測定するには、対物レンズ１の中心にレーザードップラによるレーザー光をあてて10Hz〜100kHzの周波数の振動をかけ、対物レンズ１がこの振動周波数に追従するように重心を合わせることで行う。この測定は、フォーカス方向及びトラッキング方向の振動の両方について行われる。
【００５７】
孔部７の位置は、レンズプロテクタ２７が挿入された場合に、対物レンズ１と光ディスクとの接触が防止されるような位置であればよいが、レンズプロテクタ２７のバランサとしての役割を鑑みると、可動部１０の幅の真ん中を通る中心線に対して線対称かつ当該線に沿った方向に複数個設けられることが好ましい。本実施の形態では、図１のように対物レンズ１の周囲に、可動部１０の中心を通るタンジェンシャル方向（ｙ方向）の線Ａに対して線対称となるように、８個の孔部７が設けられている。なお、線Ａは、対物レンズ１の中心をも通っているので、レンズプロテクタ２７がどの位置にあっても対物レンズ１の中心から等距離に配置でき、対物レンズ１を適切に保護できる。
【００５８】
このように孔部７を配置することで、線対称となる１組または複数組の孔部８にレンズプロテクタ２７を挿すことができ、レンズプロテクタ２７を挿す位置を変えることによって重心をタンジェンシャル方向（ｙ方向）にのみ注目してバランスをとることができる。つまり、重心をレンズホルダ２に表面におけるタンジェンシャル方向と直交するトラッキング方向（ｘ方向）に変化させることなく、タンジェンシャル方向にのみ変更できる。ここでは、レンズプロテクタ２７が、図１の一番上の２つの孔部７に挿入されているので、レンズプロテクタ２７が同重量の場合はｙ方向の上側へ、一番高い割合で可動部１０の重心が移動する。
【００５９】
さらに、ｘ方向の重心を変更するには、線対称となる組の一方のレンズプロテクタ２７を重くすることで重心調節を行える。また、線対称となる両方のレンズプロテクタ２７の重量を換えることで、ｙ方向の重心の微調整を行っても良い。さらに、線対称となる孔部８の片方のみ、あるいは線対称でない孔部７にレンズプロテクタ２７を設置しても良い。
【００６０】
次に、レンズプロテクタ自身の重さを変更する構成について説明する。
【００６１】
重量が調整できるレンズプロテクタの構成としては、図２（ａ）に示すような、内部に任意の量の錘（固体部材）２１を入れられる構造とすればよい。レンズプロテクタ２７は、レンズホルダ２に取り付けたときに上面となる面が開放されている円筒状の空洞２２が、係止部２３に設けられており、上面から錘２１を空洞２２に入れられるようになっている。なお、錘２１は、空洞部２２と同一形状の薄い円筒形状で、投入後には空洞部２２に嵌まり込んで動かなくなるように形成されていることが望ましい。
【００６２】
また、錘２１は、重量の微調整ができるように、２ｍｇ〜５ｍｇ単位で取り付け、取り外しができることが望ましい。
【００６３】
レンズプロテクタ２７の形状もこれに限られるものではなく、図２（ｂ）に示すようなレンズプロテクタ２７’であってもよい。レンズプロテクタ２７’は係止部２３’が四角柱になっており、四角柱の空洞２２’が形成されている。錘２１’は、空洞部２２’と同一形状の薄い４角柱形状で、投入後には空洞部２２’に嵌まり込んで動かなくなるように形成されていることが望ましい。
【００６４】
また、レンズプロテクタ２７や２７’には固体である錘のかわりに、液状または粘性のある接着剤、あるいは１液性のゴム材を、空洞２２，２２’に注入し、注入後に接着剤を固化させても良い。これによれば、空洞２２，２２’の形状によらず、重量調整のための接着剤を固定的に形成できる。また、任意の量だけの接着剤、ゴム材を注入できるので、重量の微調整もできる。
【００６５】
接着剤としては、紫外線硬化型接着剤を使用してもよく、この場合、上部の穴から紫外線を照射して硬化させても良い。紫外線硬化型接着剤を用いた場合の利点は、すぐに硬化させることができるので、材料を扱いやすい点である。
【００６６】
また、重量調整に液体または粘性を有する物質を用いる場合は、図２（ｃ）のように、係止部８２の内部に外界に開放されていない空洞３２を形成し、壁面に空洞３２と外界とを挿通する注入孔２９を有するレンズプロテクタ３７を使用しても良い。この場合、注射器を注入孔２９の中に入れて、空洞３２に接着剤や１液性のゴムを注入し、その後固化させる。これにより、接着剤や１液性のゴムが、他の場所に付着したり、空洞からあふれ出さないように空洞３２に注入できる。
【００６７】
また、レンズプロテクタ自身の重さを変更の仕組みとしては、図３（ａ）に示すようなレンズプロテクタ８を用いても良い。レンズプロテクタ８は、太さの違う円筒を縦につなげた形状をしており、孔部７より細い円筒の部分（挿通部８１）をレンズホルダ２に設けられた円形の孔部８に挿入し、孔部７より太い円筒部分（係止部８２）がレンズホルダ２に引っかかることで、レンズホルダ２に設置される。
【００６８】
レンズプロテクタ８では、付加する錘８３は、中央に、レンズプロテクタ８の挿通部８１にちょうど嵌まる大きさの孔が空いており、係止部８２に隣接するように錘８３を挿通部８１に嵌める。そして、任意の重量になるまで、錘８３を次々と嵌めていき図３（ａ）の右の図に示すように、ワッシャー状に錘が装着される。このとき、錘８３とレンズプロテクタ８とが、図３（ｂ）に示すようにねじ式ではめ込む構造にしていれば、錘８３が取れないように簡単に固定できる。また、レンズプロテクタ８から取り外しも簡単にできる。
【００６９】
なお、レンズホルダ２の重心の調節のために、レンズプロテクタの重量を変更するか、位置を変更するかのどちらか一方だけを行うものであっても良い。
【００７０】
以上のような、重心調節機構を有する光ピックアップ装置は、特に、精密な重心調節が必要となる薄型のレンズプロテクタ２を用いた、薄型の光ピックアップ装置（例えば光ピックアップの装置の厚さが２０ｍｍ以下、７．３ｍｍ以下、あるいは５．３ｍｍ以下のタイプのもの）に好適である。
【００７１】
なお、本発明は上述した各実施形態に限定されるものではなく、請求項に示した範囲で種々の変更が可能であり、開示された技術的手段を適宜組み合わせて得られる実施形態についても本発明の技術的範囲に含まれる。
【００７２】
また、本発明は、以下の構成とすることもできる。
【００７３】
レーザー光を用いて、光ディスクまたは光磁気ディスク等の情報記録媒体に対して、その情報の再生、消去及び記録のうちのいずれかが可能である光ピックアップ装置において対物レンズとディスクとの接触を防ぐレンズプロテクタを重量可変にさせることを特徴とする第１の光ピックアップ装置。
【００７４】
レーザー光を用いて、光ディスクまたは光磁気ディスク等の情報記録媒体に対して、その情報の再生、消去及び記録のうちのいずれかが可能である光ピックアップ装置においてレンズホルダ上に穴をいくつか設けてレンズプロテクタを挿す位置により対物レンズ可動部の重心を調節することを特徴とする第２の光ピックアップ装置。
【００７５】
第１の光学装置において、対物レンズとディスクとの接触を防ぐレンズプロテクタの形を円柱あるいは直方体としその内部を空洞にすることを特徴とする第３の装置。
【００７６】
第１の光学装置において、レンズプロテクタ形状をT字にすることを特徴とする第４の装置。
【００７７】
第２の光学装置において、レンズプロテクタの位置精度を安定させる為にレンズホルダ上に左右対照に穴を設ける事を特徴とする。
【００７８】
第３の光学装置において、空洞部に接着剤を入れることにより重量を調節する事を特徴とする。
【００７９】
第３の光学装置において、空洞部に1液性ゴム材を入れることにより重量を調節する事を特徴とする。
【００８０】
第３の光学装置において、空洞部に錘をはめることにより重量を調節する事を特徴とする。
【００８１】
第４の光学装置において、ワッシャーのような錘をはめ込む事を特徴とする。
【００８２】
第３の光学装置において、上部を開放し上部から錘あるいは材料（接着剤等）を入れる事が出来る事を特徴とする。
【００８３】
第３の光学装置において、中央部に穴を空け中央部から材料（接着剤等）を入れることが出来る事を特徴とする。
【００８４】
第４の光学装置において、レンズプロテクタにねじ部を設けてワッシャーを取り付けやすくすることを特徴とする。
【産業上の利用可能性】
【００８５】
本発明により、光ピックアップ装置においてレンズプロテクタの機能と対物レンズ可動部の重心調節機能を１つの部品にすることが可能となった。そのため従来の光ピックアップ装置より部品数を減らすことができ、従来は不可能であったような形状の光ピックアップ装置にも適用できる。
【図面の簡単な説明】
【００８６】
【図１】本発明の実施形態に係る光ピックアップ装置の可動部を示す図面であり、レンズホルダ上にレンズプロテクタを取り付ける穴を配置されている様子を示している。
【図２】本発明の実施形態に係るレンズプロテクタを示す図面であり、（ａ）〜（ｃ）はそれぞれ、異なる形状のレンズプロテクタの例を示している。
【図３】本発明の実施形態に係る他のレンズプロテクタを示す図面である。
【図４】従来技術を示すものであり、光ピックアップ装置の対物レンズ駆動機構を示す図面である。
【図５】従来技術を示すものであり、光ピックアップ装置における対物レンズと光ディスクとの位置関係を示す側面断面図面である。
【図６】従来技術のレンズプロテクタを示す図面である。
【図７】従来技術のバランサを示す図面である。
【符号の説明】
【００８７】
１      対物レンズ
２      レンズホルダ（可動部）
３      トラッキングコイル
４      フォーカスコイル
７      孔部
１０    可動部
２１    錘（重量調整材、固体部材）
２１’  錘（重量調整材、固体部材）
２２    空洞部
２２’  空洞部
２７    レンズプロテクタ
２７’  レンズプロテクタ
２９    外部から空洞部に貫通する孔
３２    空洞部
３７    レンズプロテクタ
８１    レンズプロテクタ
８４    孔
８３    錘（孔を有する重量調整材）
【図１】
2006024339.tif 000003
【図２】
2006024339.tif 000004
【図３】
2006024339.tif 000005
【図４】
2006024339.tif 000006
【図５】
2006024339.tif 000007
【図６】
2006024339.tif 000008
【図７】
2006024339.tif 000009